(57)【特許請求の範囲】
【請求項１】
電源プラグを差込んで挿入接続するコンセント部を有するコンセントブロックを内装するとともに、前記コンセント部のプラグ差し込み口を露出させる下向開口部を有するプレートと；
前記プレートの壁面側に設けられた防水パッキンと；
前記プレートと前記防水パッキンとに挟持された状態で前記プレートに取付けられ、前記プレートとの取付側が前記プレートの幅寸法に合わせて形成された第１の本体と、前記防水パッキンとの取付側が前記第１の本体の幅寸法よりも小さくなるように前記防水パッキンの幅寸法に合わせて形成された第２の本体と、前記第１の本体内部に前記コンセントブロックを覆うように前記プレート側に立設された立設リブとを有し、前記立設リブの上側が斜め下方に傾斜して形成されているアダプタと；
を具備することを特徴とする防水コンセント。
【請求項２】
前記プレートは、その内側に前記アダプタを取付ける際に位置決めを行うための位置決め用ピンを有し、この位置決め用ピンを前記アダプタのリブの一部に設けられた位置決め用孔に挿通することによって、前記アダプタを前記プレートに取付けたことを特徴とする請求項１に記載の防水コンセント。
【発明の詳細な説明】
【技術分野】
【０００１】
本発明は、防水コンセントに関する。
【背景技術】
【０００２】
従来より、建物の外壁等から商用電源を取り出すために、防水機能を備えた防水コンセントが用いられている。  
このような防水コンセントは、外壁に直付けするタイプや、外壁に取付けられた露出ボックスを介して取付けるタイプ等がある。防水コンセントは、主に本体を形成するプレートと、このプレート内に組み込まれたコンセントブロックと、プレートの壁面側（裏側）に配設された防水機能を得るための防水パッキンとで主に構成されている。
【０００３】
また、コンセントブロックは、接地ピンを有する電源プラグと接地ピンのない電源プラグとの双方を差込み挿入接続することが可能なコンセント部等を有している。そして、最近では、安全性向上のため、接地ピンを有する複数の電源プラグを差込み可能とする接地極付きコンセント部が望まれている。  
また、パッキンの寸法はプレートの寸法と略同一であり、また、規定された露出ボックスに取付けた際に防水性を損わない寸法に形成されている。
【０００４】
従来の防水コンセントとしては、例えば、防水パッキンの開口内に挿通される電線を囲繞した状態で、防水パッキンの開口側から壁面の貫通孔内に伸びて圧入する筒状部を有する形状に形成された部材を設けることによって防水機能を高めるようにした、外壁に直付けする防水コンセントが開示されている（例えば、特許文献１参照）。
【特許文献１】特開２００４−１４４６１号公報
【発明の開示】
【発明が解決しようとする課題】
【０００５】
しかしながら、従来の防水コンセントでは、プレートの寸法が防水パッキンの寸法と略同一であるため、プレート内に組み込まれるコンセントブロック及びコンセント部の寸法が規制されてしまう。  
例えば、外径３９ｍｍの接地ピン付き電源プラグを２個同時に差し込むことの出来る接地極付きコンセント部を設けて構成する場合、差込み口の間隔寸法を３９ｍｍ以上にする必要があるが、コンセントブロック及びコンセント部の寸法が規制されているために、必要な間隔寸法を設定することができない。
【０００６】
すなわち、前記接地極付きコンセント部を組み込んで構成すると、プレートの寸法が大きくなってしまうため、防水パッキンの寸法と略同一の寸法である規定された露出ボックスに取付けることができなくなってしまう。また、単に寸法の大きなプレートを露出ボックスに取付けられるように構成した場合には、パッキンとの寸法にずれが生じるので、内部に組み込まれたコンセント部に対する防水性を著しく損ってしまうといった問題も生じてしまう。
【０００７】
そこで、本発明は前記事情に鑑みてなされたもので、複数の接地ピン付き電源プラグを差込み可能な接地極付きコンセント部を設けた場合に、露出ボックスへの装着を行うことができるとともに、防水性を確保することができる防水コンセントを提供することを目的とする。
【課題を解決するための手段】
【０００８】
請求項１の発明の防水コンセントは、電源プラグを差込んで挿入接続するコンセント部を有するコンセントブロックを内装するとともに、前記コンセント部のプラグ差し込み口を露出させる下向開口部を有するプレートと；前記プレートの壁面側に設けられた防水パッキンと；前記プレートと前記防水パッキンとに挟持された状態で前記プレートに取付けられ、前記プレートとの取付側が前記プレートの幅寸法に合わせて形成された第１の本体と、前記防水パッキンとの取付側が前記第１の本体の幅寸法よりも小さくなるように前記防水パッキンの幅寸法に合わせて形成された第２の本体と、前記第１の本体内部に前記コンセントブロックを覆うように前記プレート側に立設された立設リブとを有し、前記立設リブの上側が斜め下方に傾斜して形成されているアダプタと；を具備することを特徴とする。
【０００９】
コンセント部は、例えば、外径３９ｍｍの接地ピン付き電源プラグ１Ａを２個同時に差し込むことが出来るように形成されている。また、アダプタの第２の本体の幅寸法は、例えば規定された露出ボックスの幅寸法に合わせて形成されるようになっている。
【００１０】
請求項２の発明の防水コンセントは、請求項１に記載の防水コンセントにおいて、前記プレートは、その内側に前記アダプタを取付ける際に位置決めを行うための位置決め用ピンを有し、この位置決め用ピンを前記アダプタのリブの一部に設けられた位置決め用孔に挿通することによって、前記アダプタを前記プレートに取付けたことを特徴とする。
【００１１】
本発明において用語の定義及び技術的意味は次による。  
位置決め用ピンを位置決め用孔に挿通すると、プレートとアダプタとの固着が行えるものである。そして、この場合、好ましくは位置決め用ピンを位置決め用孔に挿通後、当該位置決め用ピンを溶着させることである。これにより、強固に、且つ隙間なく嵌合することができ、防水性を高めることができる。
【発明の効果】
【００１２】
本発明によれば、複数の接地ピン付き電源プラグを差込み可能な接地極付きコンセント部を設けた場合に、露出ボックスへの装着を行うことができるとともに、防水性を確保することができる。
【発明を実施するための最良の形態】
【００１３】
以下、図面を参照して本発明の実施例について詳細に説明する。
【００１４】
（実施例１）
図１乃至図１１は本発明の防水コンセントの実施例１に係り、図１は実施例１の防水コンセントの正面図、図２は図１の防水コンセントの側面図、図３は図１の防水コンセントの下面図である。また、図４は図１の防水コンセントの断面図、図５乃至図９は図４のアダプタの構成を説明するもので、図５は図４のアダプタの正面図、図６は図５のアダプタの下面図、図７は図５のＡ−Ａ線断面図、図８は図５のアダプタの側面図、図９は図５のアダプタの中心部分の断面図である。図１０及び図１１はプレートに対するアダプタの取付方法を説明するもので、図１０はアダプタをプレートに嵌合した状態を示す説明図、図１１は熱溶着によってアダプタをプレートに固定した状態を示す説明図である。
【００１５】
図４に示すように、本実施例の防水コンセント１は、電源プラグ１Ａを差込んで挿入接続するコンセント部５Ｂを有するコンセントブロック５を内装するとともに、前記コンセント部５Ｂのプラグ差し込み口２Ｅを露出させる下向開口部２Ａを有するプレート２と、前記プレート２の壁面側に設けられた防水パッキン３と、前記プレート２と前記防水パッキン３とに挟持された状態で前記プレート２に取付けられ、前記プレート２との取付側が前記プレートの幅寸法Ｌ２に合わせて形成された第１の本体４Ａと、前記防水パッキン３との取付側が前記第１の本体４Ａの幅寸法Ｌ２よりも小さくなるように前記防水パッキンの幅寸法Ｌ１に合わせて形成された第２の本体４Ｂとを有するアダプタ４と、を有している。
【００１６】
プレート２は、図１乃至図４に示すように、主に防水コンセント１の本体を構成するもので、前記コンセントブロック５を内部に内装する箱状に形成され、壁面側には図示はしないが開口部を有している。
【００１７】
プレート２の表面側には、プラグ差込み口２Ｅに対する電源プラグ１Ａの差込み方法等が文字、あるいは図示によって示された成形部２ｃが設けられている。また、プレート２の成形部２ｃの下部には切り欠きが設けられ、この切り欠きには透明性の有るポリカーボネート等の材質で形成されたフード２Ｂが設けられている。透明性のフード２Ｂを設けたことによって、使用者により電源プラグ１Ａをプラグ差込み口２Ｅに差込む際に、開口部２Ａ内のプラグ差込み口近傍を見易くすることができる。また、プレート２の下部には、接地するための端子であるアースターミナル２Ｃが設けられている。
【００１８】
プレート２の中心軸上の上下基端側には、ねじ２ｂの螺合によってプレート２を、後述する防水パッキン３及びアダプタ４を挟持した状態で図４に示す絶縁サポート８に固定するための取付部２ａがそれぞれ設けられている。プレート２の上側の取付部２ａはねじ２ｂを挿通する挿通孔を有し、下側の取付部２ａは、切り欠いた切り欠き部にねじ２ｂを挿通する挿通孔を有している。一方、絶縁サポート８のそれぞれの対応する箇所には、ねじ孔８ａ（図４参照）がそれぞれ設けられている。したがって、プレート２は、各取付部２ａを介してねじ２ｂをねじ孔８ａにそれぞれ螺合することにより、絶縁サポート８に固定される。
【００１９】
プレート２の下向開口部２Ａ内には、図３に示すようにプラグ差込み口２Ｅを設けた差込み面２Ｄが設けられている。この差込み面２Ｄのプラグ差込み口２Ｅは、例えば、外径３９ｍｍの接地ピン付き電源プラグ１Ａを２個同時に差し込むことが出来るように形成されている。また、このプラグ差込み口２Ｅの内部には、後述するがそれぞれ刃受け扉５ｃ（図４参照）が設けられており、各電源プラグ１Ａが差し込まれた以外はこの刃受け扉５ｃによってプラグ差込み口２Ｅが閉塞されてゴミや水等の進入を防止している。
【００２０】
プレート２内部には、図４に示すようにコンセントブロック５が内装されている。このコンセントブロック５は、例えば、外径３９ｍｍの接地ピン付き電源プラグ１Ａを２個同時に差し込んで挿入接続可能なコンセント部５Ｂと、このコンセント部５Ｂ内部と電気的に接続する端子金具５ａを備えた接続端子部５Ａとを有している。
【００２１】
このコンセントブロック５は、接続端子部５Ａの内部を介してねじ６による螺合によってプレート２に固定されるようになっている。接続端子部５Ａ内の端子金具５ａ（図示せず）は、壁面から延出される電源線が接続されるようになっており、後述するコンセント部５Ｂ内のそれぞれの刃受け５ｂに電気的に接続して電源を供給するようになっている。
【００２２】
コンセント部５は、前記プラグ差込み口２Ｅの位置に対応するように刃受け扉５ｃが設けられている。この刃受け扉５ｃは、それぞれ図示しないばねによってプラグ差込み口２Ｅを閉塞する方向に付勢されて閉じられており、電源プラグ１Ａの刃及び接地ピンを差込むことによって、開かれるようになっている。  
なお、プラグ差込み口２Ｅは、円弧状に形成されており、差し込まれる電源プラグ１Ｅの刃及び接地ピンを所定角度で回転することができるようになっている（図３参照）。
【００２３】
また、コンセント部５Ｂの内部には、刃受け扉５ｃの配置位置に対応するように刃受け５ｂがそれぞれ設けられている。これらの刃受け５ｂは、導通性部材を用いてばね特性を有する形状に構成されたもので、電源プラグ１Ａの刃及び接地ピンをそれぞれ差し込み可能であり、また差し込んだ状態から回転させることで保持することが可能である。  
つまり、刃受け部５ｂは、差し込まれた電源プラグ１Ａの刃及び接地ピンの刃抜けを防止することができるようになっている。また、これらの刃受け５ｂは、接続端子部５Ａの端子金具５ａを介して電源が供給されるようになっている。  
なお、接地ピンが差し込まれる刃受け５ｂは、図示はしないが接地導通経路を形成する接続端子部５Ａの外装部分と、この外装部分に接続される接地部材７とを介して、プレート２に設けられたアースターミナル２Ｃに接続されるようになっている。
【００２４】
上記構成のプレート２の壁面側には、図２及び図３に示すようにアダプタ４を介して防水パッキン３が設けられている。この防水パッキン３は、例えば軟質塩化ビニル樹脂等の材質を用いて開口を有する枠状に形成されたもので、その外周縁部の両側には、アダプタ４の外周部及び図示しない露出ボックスの外周部と嵌合するための嵌合溝(図示せず）が形成されている。また、図示はしないが防水パッキン３の下方の内側には、防水性を高めるために開口を覆う平面部が延設されるようになっている。
【００２５】
本実施例では、前記コンセントブロック５は、例えば外径３９ｍｍの接地ピン付き電源プラグ１Ａを２個同時に差し込んで挿入接続可能なコンセント部５Ｂを有しているため、前記プレート２の幅寸法Ｌ２は、従来例よりも大きくなる。したがって、従来技術では防水パッキン３の幅寸法についてもプレート２の幅寸法Ｌ２に合わせて形成されることになる。
【００２６】
ところが、前記したようにプレート２の幅寸法Ｌ２が従来例よりも大きくなると、防水パッキン３の幅寸法も大きくなってしまい、図示しない幅寸法が規定された露出ボックスには取付けることができない。しかしながら、本実施例では、前記アダプタ４を設けたことによって、露出ボックスへの装着を行うことができるとともに、防水性を確保することができるようになっている。  
このようなアダプタ４の構成を図３乃至図９を参照しなから説明する。  
図３及び図４に示すように、アダプタ４は、プレート２と防水パッキン３とに挟持された状態で前記プレート２に取付けられ、前記プレート２との取付側が前記プレートの幅寸法Ｌ２に合わせて形成された第１の本体４Ａと、前記防水パッキン３との取付側が前記第１の本体４Ａの幅寸法Ｌ２よりも小さくなるように前記防水パッキンの幅寸法Ｌ１に合わせて形成された第２の本体４Ｂとを有している。
【００２７】
第１の本体４Ａと第２の本体４Ｂは、一体で形成されるようになっている。第１の本体４Ａの幅寸法は、前記したようにプレート２の幅寸法Ｌ２と同一である。また、第２の本体４Ｂの幅寸法は、第１の本体４Ａの幅寸法Ｌ２よりも小さく且つ前記防水パッキン３の幅寸法Ｌ１ど同一であり、具体的には、幅寸法が規定された露出ボックス(図示せず）に合わせた幅寸法となるように形成されている。
【００２８】
このことにより、本実施例の防水コンセント１は、防水パッキン３を介して図示しない壁面に取付られた露出ボックスに装着することが可能となる。  
また、アダプタ４は、図３に示すように、壁面側に設けられた第２の本体４Ｂの幅寸法Ｌ１の中心と前記プレート２の中心軸とが一致するように形成されている。  
このことにより、防水コンセント１が露出ボックス（図示せず）に装着されている場合、アダプタ４の第１本体４Ａの幅寸法Ｌ２と露出ボックスの幅寸法Ｌ１との差分が露出ボックスの中心軸に対して均等に分割された状態で防水コンセント１を配設することになるので、極力外的負荷等が加わらない構造となり、よって、防水コンセント１が露出ボックスから容易に外れないようにすることが可能となる。
【００２９】
また、アダプタ４は、図５に示すように、第１の本体４Ａ及び第２の本体４Ｂを有して枠状に形成されており、第１の本体４Ａ側には開口部４Ｅを形成し、第２の本体４Ｂ側には開口部４Ｃを形成している。
【００３０】
第１の本体４Ａと第２の本体４Ｂとの幅寸法の差分等で形成された第１本体４Ａの内周面側には、図５及び図７に示すように、防水性を高めるための立設リブ４ａがプレート側に向けて立設されている。この立設リブ４ａは、アダプタ４の上部から両側側面部にかけて延設されており、詳しくは内装するコンセントブロック５を覆うような位置まで延設されている。  
また、立設リブ４ａは、図５に示すように、上側が斜め下方に傾斜して形成されている傾斜部４ａ１を有している。この立設リブ４ａの傾斜部４ａ１は、アダプタ４の上部に配置された取付部４Ｄの位置から両側下方へと傾斜して形成されている。このことにより、水が下方へと流れ易くなっており、すなわち、上側からの水の浸入を防止している。
【００３１】
なお、立設リブ４ａの高さは、図７に示す高さに限定されることはなく、防水性が得られる範囲内であれば適宜高さを変えても良い。また、立設リブ４ａは、内装したコンセントブロック５を完全に覆う位置まで延設するようにしたが、立設リブ４ａの両側基端部がアダプタ４の最下部までそれぞれ延設するように構成しても良い。さらに、立設リブ４ａの傾斜部４ａ１の傾斜角度については図５に示すような傾斜角度に限定されることなく、プレート２との嵌合が可能でも水が下方へと流れやすい傾斜角度であれば良い。
【００３２】
本実施例においては、平面部材であり、且つ比較的剛性を有するプレート２とこのプレート２と略同様な組成で形成されているアダプタ４とを水密に合わせることは困難である。すなわち、プレート２とアダプタ４とを機械的に強固に連結しても周縁部（境界部分）全て隙間を生じないように形成することは困難である。
【００３３】
しかしながら、前記したようにアダプタ４の第１の本体４内部のプレート側に、プレート２内に内装するコンセントブロック５を覆うような位置で且つ上側が傾斜している立設リブ４ａを設けたことにより、例えばアダプタ４の第１の本体４Ａの境界部分から水が浸入したとしても、この水は各内周面を伝わり、そして、立設リブ４ａを介して防水コンセント１の下部方向へと流れることになる。このことにより、防水コンセント１にとって重要なコンセントブロック５に水をさらすことはなく、よって防水コンセントの防水性を向上させることが可能となる。
【００３４】
なお、アダプタ４の防水パッキン側については、立設リブ４ａは設けられてない。つまり、防水パッキン３自体が柔軟性のある材質で形成されているため、防水パッキン３とプレート２やアダプタ４等の平面部材と強固に取付けると、防水パッキン３の外周部がくい込むことで隙間が生じないように配設することが可能であるためである。
【００３５】
次に、本実施例に係るプレート２に対するアダプタ４の取付構造及び取付方法を図４乃至図１１を参照しながら説明する。  
図４に示すように、プレート２内側の中心軸上の上下基端側には、アダプタ４を取付ける際に位置決めを行うとともに固定するための位置決め用ピン２Ｆが開口部方向に突出するようにそれぞれ設けられている。
【００３６】
一方、アダプタ４の中心軸上の上下基端側には、図４乃至図９に示すように、取付部４Ｄがそれぞれ設けられている。これら取付部４Ｄは、図８及び図９に示すように、第１の本体４Ａの高さよりもプレート２側に突出するように第１本体４Ａの縁部が延設して形成されたものである。
【００３７】
これら取付部４Ｄには、プレート２を絶縁サポート８に取付けるためのねじ２ｂを挿通する挿通孔４ｄと、前記プレート２の位置決め用ピン２Ｆを挿通して位置決めを行う位置決め用孔４ｃとがそれぞれ設けられている。
【００３８】
次に、このような取付構造を備えたプレート２に対するアダプタ４の取付方法を図１０及び図１１を参照しなから説明する。  
まず、作業者は、アダプタ４を、図４及び図１０に示すように、アダプタ４の位置決め用孔４ｃにプレート２の位置決め用ピン２Ｆを挿通することにより、プレート２に対するアダプタ４の位置決めを行う。
【００３９】
そして、図１０に示すように、作業者は、位置決め用孔４ｃから突出している位置決め用ピン２Ｆに加熱器具を接触させて熱Ｆを加える。  
すると、位置決め用ピン２Ｆは、熱Ｆによって溶けだし、その後、冷やすことにより例えば図１１に示すように位置決め用孔４ｃ（取付部４Ｄ）から外れないような形状２Ｆ１に凝固する。すなわち、位置決め用ピン２Ｆを取付部４Ｄに対して熱溶着することによりアダプタ４をプレート２に強固に取付けることができる。
【００４０】
したがって、アダプタ４はプレート２との境界部分を強固に嵌合することが可能となる。よって、防水性を向上させることができる。  
また、防水コンセント１において、前記取付構造を用いることにより、防水コンセント１の組立て性も向上させることが可能となる。
【００４１】
以上、述べたように本実施例によれば、コンセントブロック５内に例えば外径３９ｍｍの接地ピン付き電源プラグ１Ａを２個同時に差し込んで挿入接続可能なコンセント部５Ｂを設けて構成した場合でも、アダプタ４を設けたことによって、規定された露出ボックスへの装着を行うことができる。また、アダプタ４内に立設リブ４ａを設けたことにより、防水性を確保することができる。
【００４２】
また、アダプタ４をプレート２に取付ける場合に、位置決め用ピン２Ｆを取付部４Ｄに熱溶着することにより、アダプタ４をプレート２との境界部分を強固に嵌合することが可能となり、さらに、防水性を向上させることができる。
【００４３】
なお、本実施例では、アダプタ４と防水パッキン３とはそれぞれ別部材にて構成したが、これに限定されることはなく、アダプタ４と防水パッキン３とを一体成型して構成しても良い。
【００４４】
また、プレート２に組み込まれるコンセントブロック５は、例えば外径３９ｍｍの接地ピン付き電源プラグ１Ａを２個同時に差し込んで挿入接続可能なコンセント部５Ｂを備えるように構成したが、これに限定されることはなく、２個以上の複数の接地ピン付き電源プラグや、接地ピン付き電源プラグと接地ピン付きではない電源プラグとを組み合わせてコンセント部５Ｂを構成しても良い。  
この場合、コンセント部５Ｂの構成によってはプレート２の幅寸法Ｌ２が大きくなるが、これに伴って、アダプタ４の第１の本体４Ａの幅寸法も同じように大きく設定する必要がある。すなわち、本実施例では、コンセント部５Ｂの幅寸法を任意に設定することが可能である。
【００４５】
本発明は、規定された露出ボックスに装着する防水コンセント１の実施例について説明したが、これに限定されるものではなく、本発明は、壁面に露出ボックスが取付けてなく、直に壁面に取付ける場合にもアダプタを設けてもよいがアダプタ４を設けずに、従来例と同様にプレート２と同様の幅寸法Ｌ２の防水パッキン３を取付けて壁面に装着するようにした実施例も実施可能である。
【００４６】
なお、本発明は前記実施例１に限定されるものではなく、本発明の範囲を逸脱しない範囲での応用や組み合わせも適用される。
【図面の簡単な説明】
【００４７】
【図１】本発明に係る実施例１の防水コンセントの正面図。
【図２】図１の防水コンセントの側面図。
【図３】図１の防水コンセントの下面図。
【図４】図１の防水コンセントの断面図。
【図５】図４のアダプタの構成を説明するものでアダプタの正面図。
【図６】図５のアダプタの下面図。
【図７】図５のＡ−Ａ線断面図。
【図８】図５のアダプタの側面図。
【図９】図５のアダプタの中心部分の断面図。
【図１０】アダプタをプレートに嵌合した状態を示す説明図。
【図１１】熱溶着によってアダプタをプレートに固定した状態を示す説明図。
【符号の説明】
【００４８】
１…防水コンセント、
２…プレート、
２Ａ…下向開口部、
２Ｂ…フード
２Ｃ…アースターミナル、
２Ｅ…プラグ差込み口、
２Ｆ…位置決め用ピン、
３…防水パッキン、
４…アダプタ、
４ａ…立設リブ、
４ａ１…傾斜部、
４Ａ…第１の本体、
４Ｂ…第２の本体、
４Ｃ…開口、
４Ｄ…取付部、
４ｃ…位置決め用孔、
５…コンセントブロック、
５Ａ…接続端子部、
５Ｂ…コンセント部、
５ｂ…刃受け、
５ｃ…刃受け扉、
７…接地部材、
８…絶縁サポート。
【図１】
0004630159.tif 000002
【図２】
0004630159.tif 000003
【図３】
0004630159.tif 000004
【図４】
0004630159.tif 000005
【図５】
0004630159.tif 000006
【図６】
0004630159.tif 000007
【図７】
0004630159.tif 000008
【図８】
0004630159.tif 000009
【図９】
0004630159.tif 000010
【図１０】
0004630159.tif 000011
【図１１】
0004630159.tif 000012